(57)【要約】【課題】簡単な操作で玩具パーツを積重ねて１つの形象物を組み上げる過程を楽しむことができるとともに、組み上げ工程を遊びに反映させることができる玩具パーツ積み重ね玩具及び玩具パーツ排出機構を提供すること【解決手段】玩具本体１に少なくとも２つ設けた玩具パーツ収容部３から玩具パーツ２をそれぞれ排出し、排出した玩具パーツ２を積み重ねて一つの形象物Ｆを組み上げる玩具パーツ積み重ね玩具Ａであって、玩具本体１には台車装置４が設けられ、この台車装置４は上記玩具パーツ２を排出するための開口部１６を設けた玩具パーツ収容部３の前面を移動可能に配置し、上記玩具パーツ収容部３には上記開口部１６から収容している玩具パーツ２を一つずつ上記台車装置４に排出する排出機構Ｂを備え、この排出機構Ｂは上記台車装置４が上記玩具パーツ収容部３の前面に位置しているときに操作できるようにした。【選択図】図１
2011019701.tif 000002
【特許請求の範囲】
【請求項１】
玩具本体に設けた玩具パーツ収容部から玩具パーツを排出し、排出した玩具パーツを積み重ねて一つの形象物を組み上げる、以下の要件を備えることを特徴とする玩具パーツ積み重ね玩具。
（イ）上記玩具本体には上記玩具パーツを収容する玩具パーツ収容部を少なくとも２つ設けたこと
（ロ）上記玩具本体には台車装置が設けられ、該台車装置は上記玩具パーツ収容部前面を移動可能に配置したこと
（ハ）上記玩具パーツ収容部の前面には上記玩具パーツを排出するための開口部を設け、上記玩具パーツ収容部は上記開口部から収容している玩具パーツを一つずつ上記台車装置に排出する排出機構を備えたこと
（ニ）上記排出機構は上記台車装置が上記玩具パーツ収容部の前面に位置しているときに操作可能であること
【請求項２】
前記台車装置は台車と該台車を移動させる台車移動装置とで構成され、該台車は該台車移動装置に着脱自在に設けられ、上記台車移動装置には前記排出機構を外部から操作可能な駆動機構を設けた、請求項１記載の玩具パーツ積み重ね玩具。
【請求項３】
前記玩具パーツ収容部に設けた開口部には該開口部を常時閉鎖するシャッターが設けられ、該シャッターは前記台車装置が前記玩具パーツ収容部前面に位置した際には前記台車装置に設けたシャッター開放手段によって開放する、請求項１又は２記載の玩具パーツ積み重ね玩具。
【請求項４】
前記シャッター開放手段は前記台車装置に設けられた押し上げ部材で構成され、台車装置が前記玩具パーツ収容部前面に位置した時には、シャッターの一側部に設けた軸体が係合し、シャッターが押し上げられて前記開口部を開放する、請求項３記載の玩具パーツ積み重ね玩具。
【請求項５】
前記形象物が多段状ケーキであり、前記玩具パーツは多段状ケーキの各段を模したケーキパーツである、請求項１記載の玩具パーツ積み重ね玩具。
【請求項６】
玩具本体に設けた玩具パーツ収容部から玩具パーツを排出する、以下の要件を備えることを特徴とする玩具パーツ排出機構。
（イ）上記玩具本体には台車装置が設けられ、該台車装置は上記玩具パーツ収容部前面を移動可能に配置したこと
（ロ）上記玩具パーツ収容部の前面には上記玩具パーツを排出するための開口部を設け、上記玩具パーツ収容部は上記開口部から収容している玩具パーツを一つずつ上記台車装置に排出する排出機構を備えたこと
（ハ）上記排出機構は上記台車装置が上記玩具パーツ収容部の前面に位置しているときに操作可能であること
（二）上記台車装置には上記排出機構を外部から操作可能な駆動機構を設けたこと
（ホ）上記駆動機構は、操作ノブと該操作ノブの回転操作に連動して前後動するスライド部材とで構成され、該スライド部材の先端部は上記排出機構に係合する係合軸部が形成されていること
（へ）上記排出機構は、上記係合軸部の係合に連係して回動する回動部材と、この回動部材に連動して前後動する押出し装置とで構成され、該押出し装置が前動したときには上記玩具パーツ収容部に収容されている玩具パーツは上記開口部から排出されること
【発明の詳細な説明】
【技術分野】
【０００１】
本発明は、玩具パーツ積み重ね玩具及び玩具パーツ排出機構、詳しくは玩具パーツを手で直接触れることなく積重ねて形象物を組み上げることができる玩具パーツ積み重ね玩具に関するものである。
【背景技術】
【０００２】
従来、菓子を模して形成されたブロック要素を組み合わせて色々な形態の物体を形成することができるブロック玩具が提案されている（例えば、特許文献１）。このブロック玩具は、各ブロック要素には嵌合凹部と嵌合凸部あるいは嵌合凸部と嵌合凹部とのいずれか一方が形成され、嵌合凸部と嵌合凹部とを嵌合させることにより物体を形成することができるようにしたものである。
【先行技術文献】
【特許文献】
【０００３】
【特許文献１】実開平１−１５５４９８号公報
【発明の概要】
【発明が解決しようとする課題】
【０００４】
本発明が解決しようとする問題点は、上述のブロック玩具は、ブロック要素を組み合わせて好みの形象物を組み上げることはできるが、ユーザーが直接ブロック要素を手で摘んで組み上げなければならず、玩具を操作して形象物を作り上げていく過程を楽しみながら形象物を作り上げることはできないものであり、組み上げ工程を楽しむ遊びをすることはできない問題があった。
【０００５】
本発明は、上記問題点を解決し、簡単な操作で玩具パーツを積重ねて１つの形象物を組み上げる過程を楽しむことができるとともに、組み上げ工程を遊びに反映させることができる玩具パーツ積み重ね玩具及び玩具パーツ排出機構を提供することを課題とする。
【課題を解決するための手段】
【０００６】
前記課題を解決するために本発明に係る玩具パーツ積み重ね玩具は、玩具本体に設けた玩具パーツ収容部から玩具パーツを排出し、排出した玩具パーツを積み重ねて一つの形象物を組み上げる、以下の要件を備えることを特徴とする。
（イ）上記玩具本体には上記玩具パーツを収容する玩具パーツ収容部を少なくとも２つ設けたこと
（ロ）上記玩具本体には台車装置が設けられ、該台車装置は上記玩具パーツ収容部前面を移動可能に配置したこと
（ハ）上記玩具パーツ収容部の前面には上記玩具パーツを排出するための開口部を設け、上記玩具パーツ収容部は上記開口部から収容している玩具パーツを一つずつ上記台車装置に排出する排出機構を備えたこと
（ニ）上記排出機構は上記台車装置が上記玩具パーツ収容部の前面に位置しているときに操作可能であること
【０００７】
なお、前記台車装置は台車と該台車を移動させる台車移動装置とで構成され、該台車は該台車移動装置に着脱自在に設けられ、上記台車移動装置には前記排出機構を外部から操作可能な駆動機構を設ければよい。
【０００８】
そして、前記玩具パーツ収容部に設けた開口部には該開口部を常時閉鎖するシャッターが設けられ、該シャッターは前記台車装置が前記玩具パーツ収容部前面に位置した際には前記台車装置に設けたシャッター開放手段によって開放するようにすればよい。
【０００９】
また、前記シャッター開放手段は前記台車装置に設けられた押し上げ部材で構成され、台車装置が前記玩具パーツ収容部前面に位置した時には、シャッターの一側部に設けた軸体が係合し、シャッターが押し上げられて前記開口部を開放するようにすればよい。
【００１０】
なお、前記形象物が多段状ケーキであり、前記玩具パーツは多段状ケーキの各段を模したケーキパーツであることが好ましい。
【００１１】
また、本発明に係る玩具パーツ排出機構は、玩具本体に設けた玩具パーツ収容部から玩具パーツを排出する、以下の要件を備えることを特徴とする。
（イ）上記玩具本体には台車装置が設けられ、該台車装置は上記玩具パーツ収容部前面を移動可能に配置したこと
（ロ）上記玩具パーツ収容部の前面には上記玩具パーツを排出するための開口部を設け、上記玩具パーツ収容部は上記開口部から収容している玩具パーツを一つずつ上記台車装置に排出する排出機構を備えたこと
（ハ）上記排出機構は上記台車装置が上記玩具パーツ収容部の前面に位置しているときに操作可能であること
（二）上記台車装置には上記排出機構を外部から操作可能な駆動機構を設けたこと
（ホ）上記駆動機構は、操作ノブと該操作ノブの回転操作に連動して前後動するスライド部材とで構成され、該スライド部材の先端部は上記排出機構に係合する係合軸部が形成されていること
（へ）上記排出機構は、上記係合軸部の係合に連係して回動する回動部材と、この回動部材に連動して前後動する押出し装置とで構成され、該押出し装置が前動したときには上記玩具パーツ収容部に収容されている玩具パーツは上記開口部から排出されること
【発明の効果】
【００１２】
請求項１の発明によれば、台車装置を玩具パーツ収容部の前に移動させたときに排出機構を作動させることができるので、玩具パーツ収容部内の玩具パーツは台車装置が玩具パーツ収容部の前にあるときだけ排出され、順次隣の玩具パーツ収容部に台車装置を移動させて排出機構を作動させれば玩具パーツを積重ねて形象物を組み上げることができ、ユーザーが玩具パーツを指で摘んで形象物を作り上げる従来の玩具では味わうことのできない積重ね遊びを楽しむことができる。
【００１３】
請求項２の発明によれば、台車を台車移動装置に着脱できるようにしたので、異なる外観の台車と自由に取り替えて楽しむことができる。しかも台車移動装置には排出機構を動かす駆動機構を設けたので、１つの駆動機構で複数の排出機構を選択的に作動させることができる。
【００１４】
請求項３の発明によれば、玩具パーツ収容部の開口部にはシャッターを配置し、台車装置を玩具パーツ収容部の前に移動させたときにシャッターが開口部を開放するようにしたので、排出機構を作動させて玩具パーツを台車装置に取り込むとき以外は開口部がシャッターで塞がれているので、収容した玩具パーツが開口部から勝手に飛び出すトラブルを防ぐことができる。
【００１５】
請求項４の発明によれば、台車装置を移動させることにより押し上げ部材が軸体を介してシャッターを押し上げることができるので、台車装置に押し上げ部材を設け、シャッターの一側部には軸体を設けるだけの簡単な構造でシャッターの開閉制御を行なうことができる。
【００１６】
請求項５の発明によれば、玩具パーツをケーキを模したケーキパーツで構成することにより、形象物を多段状ケーキに仕上げることができ、ケーキを作る過程を楽しむことができるとともに、ケーキ屋さんがケーキを作ってお客さんにケーキを提供するお店やさん遊びを楽しむことができる。
【００１７】
請求項６の発明によれば、台車装置を玩具パーツ収容部の前に移動させ、操作ノブを回すと台車装置に設けた駆動機構が作動して、玩具パーツ収容部に配置された排出機構を作動させ、玩具パーツを玩具パーツ収容部から排出することができるので、１つの駆動機構で複数の排出機構を個別に作動させることができる玩具パーツ排出機構を実現することができる。
【図面の簡単な説明】
【００１８】
【図１】本発明に係る玩具パーツ積み重ね玩具の斜視図
【図２】（ａ）（ｂ）は上記玩具パーツ積み重ね玩具の他の状態を説明する正面側斜視図及び背面側斜視図
【図３】（ａ）〜（ｃ）は台車の構成を説明する斜視図
【図４】移動装置の外観を説明する斜視図
【図５】玩具本体の内部構造を説明する要部正面図
【図６】排出機構と駆動機構の構成を説明する分解斜視図
【図７】押出し部材の構成を説明する分解斜視図
【図８】（ａ）〜（ｃ）は玩具パーツ積み重ね玩具の使用態様の説明図
【図９】（ａ）（ｂ）は玩具パーツ積み重ね玩具の使用態様の説明図
【発明を実施するための形態】
【００１９】
図１は、本発明に係る玩具パーツ積重ね玩具Ａの一例を示し、この玩具パーツ積重ね玩具Ａは、玩具本体１に玩具パーツ２を収容する玩具パーツ収容部３を複数配置し、台車装置４を玩具パーツ収容部３の前を移動させて玩具パーツ収容部３内の玩具パーツ２を取り込み、取り込んだ玩具パーツ２は段重ねして1つの形象物Ｆを構成し、この形象物Ｆを玩具本体１から取り出せるようにしたもので、図２（ａ）に示すように、蓋５を閉じればバッグ状にして持ち運びができるようにしたものであり、本実施の形態では、玩具パーツ２を円板状のケーキを模して形成したケーキパーツで構成し、玩具パーツ２を段重ねすることにより形象物Ｆを多段状ケーキに仕上げることができるようにしたものである。
【００２０】
なお、図１の状態で、上記蓋５の上に図示しないテーブルやお客さんを模した人形玩具を並べればケーキ屋さんの客席として蓋５を活用することができる。
【００２１】
玩具本体１は玩具パーツ２を収容する第1の玩具パーツ収容部３ａ、第２の玩具パーツ収容部３ｂ、第３の玩具パーツ収容部３ｃの３つからなる玩具パーツ収容部３が横に並接して配置され、この玩具パーツ収容部（以下、収容部という）３の下部前面には上記台車装置４が移動するステージ６が設けられ、このステージ６の前面にはステージ６内に配置された台車移動装置８を動かす操作ノブ３５が配置され、この操作ノブ３５を左右方向に移動させて台車移動装置８を左右に移動させれば、台車移動装置８に連動してステージ６上の台車７を左右に移動させることができるようになっており、ステージ６の右端にはエレベータ１０が配置されている。このエレベータ１０はレバー１１を上下させることにより床材１２がレバー１１と一体で上下動するもので、最上部の前面には窓１３がステージ６側には取り込み口１４が形成され、最下部の前面には取り出し口１５が形成されている。
【００２２】
なお、図２（ｂ）に示すように、玩具本体１の背面に開閉可能に設けた裏蓋９を開けると、玩具パーツ（以下、ケーキパーツという）２を収容する収容部３が開放されるので、裏側からケーキパーツ２を収容部３内に供給することができる。
【００２３】
上記収容部３は、前面に開口部１６（１６ａ、１６ｂ、１６ｃ）が形成され、この開口部１６は、透明なシャッター３３で塞がれ、収容したケーキパーツ２が開口部１６から飛び出さないようにしている。このシャッター３３は上記台車７が開口部１６の前面に移動してくると、後述する台車移動装置８に設けた押し上げ部材２６に押し上げられて開口部１６を開放できるようになっている。
【００２４】
なお、この収容部３に配置されたケーキパーツ２は種類の異なる複数（例えば、３種類）のケーキパーツ２ａ、２ｂ、２ｃで構成され、大きなケーキパーツ２ａが左端の収容部３ａに収容され、小さなケーキパーツ２ｃは右端の収容部３ｃに収容され、開口部１６は収容部３ａ、３ｂ、３ｃに対応して、開口部１６ａ、開口部１６ｂ、開口部１６ｃの順番にケーキパーツ２の厚さよりも高い位置に配置され、開口部１６から押し出された前段のケーキパーツ２の上に後段のケーキパーツ２を載せることができるようになっている。
【００２５】
台車装置４は、台車７と台車移動装置８とで構成され、台車７は、図３（ａ）に示すように、方形の箱状に形成された本体２０の後端にはケーキ職人を模して形成されコック帽をかぶった動物玩具２１（図１参照）を取り付ける取付板２２が形成され、底面には車輪を模した脚部２３が突出して形成されるとともに、移動装置８の上面に突出して形成された係合板２５（図４参照）に係合する係合穴２４が形成されている。この係合穴２４は、ステージ６の内部に配置された移動装置８に設けた係合板２５はステージ６上に突出するようになっているので、この係合板２５を台車７の係合穴２４に係合させることにより移動装置８を移動させると台車７はステージ上を移動させることができる。
【００２６】
しかも、ステージ６上の台車７とステージ６内の台車移動装置８とは係合板２５を介して連係しているだけなので、他の台車と自由に入れ替えることができ、異なる形状や異なる動物玩具２１が取り付けられた台車を楽しむことができる。
【００２７】
そして、台車７の上面には、図３（ｂ）に示すように、トレイ２６を載置する載置板２７が配置されている。この載置板２７は前部の軸支部２８が台車７に形成された支持部３０に軸支されて上下に回動可能に配置されるとともに前部には下方に曲折して係合板３１が形成され、この係合板３１がステージ６の後端部に形成された凸軸１７に当接し、後方に押圧されると載置板２７は支持部３０を中心に後部が上方に回動し、載置板２７上に載せたトレイ２６が載置板２７から台車７の前方に向かって滑り落ちるようになっている。
【００２８】
トレイ２６は載置したケーキパーツ２がズリ落ちないように周縁が上方に膨出し、裏面には下方に突出して４つの凸部２９が形成され、トレイ２６を台車７に載せると、載置板２７の両側部に凸部２９が係合することにより、図３（ｃ）に示すように、載置板２７上に安定した状態で載置されることになる。
【００２９】
台車移動装置８は、ステージ６の内部に配置され、ステージ６の前面に突出した操作ノブ３５を左右に動かすことにより、ステージ６内を左右に移動させることができるようになっており、上方に突出した係合板２５は上述した台車７の係合穴２４に係合して台車７をステージ６上を台車移動装置８と一体で移動させるようになっている（図４参照）。この台車移動装置８の内部には、後述する排出機構Ｂを駆動する駆動機構Ｃが配置されている。
なお、符号３２はシャッター開放手段を示し、このシャッター開放手段３２は山形状に形成された押し上げ部材で構成され、この押し上げ部材３２の斜面３２ａがシャッター３３の一側部（右側）に設けた軸体３４の下端に係合し、台車移動装置８の移動とともにこれを上方に押し上げて収容部３の開口部１６を開放するためのものである。
【００３０】
次に、ケーキパーツ２を排出する排出機構Ｂについて説明する。この排出機構Ｂは、、図５に示すように、収容部３の下方にそれぞれ配置されている。この排出機構Ｂは、図６に示すように、扇歯車４５と、扇歯車４５に噛み合う駆動歯車４６と、駆動歯車４６と軸４７を介して一体で回動する回動部材（以下、アーム部材という）４８と、アーム部材４８の回動に連動して前後にスライド移動する押出し装置５０とで構成されている。
【００３１】
扇歯車４５には後述するスライド部材３９の係合軸部４１の先端に係合する係合部４５ａが形成され、アーム部材４８の先端には押出し装置５０の底面に形成された横長の係合枠部５４に係合する係合軸４８ａが上方に突出して形成されている。なお、符号４９はアーム部材４８を復帰回動させるためのスプリングを示し、スライド部材３９による扇歯車４５への押圧が解除されると、スプリング４９の収縮力で後方に復帰回動するようになっている。
【００３２】
押出し装置５０は、図７に示すように、下フレーム５１と上フレーム５２と押出部材５３とで構成されたもので、下フレーム５１の下面には長手方向に長方形の筒状に膨出してアーム部材４８の係合軸４８ａが係合する係合枠部５４が形成され、上面には押出部材５３の支軸５５を軸支する軸受部５６が形成され、一方の軸受部５６は上フレーム５１を支える支持ブロック５７に形成されている。この支持ブロック５７には前後に貫通して貫通孔５８が形成され、この貫通孔５８に挿通したシャフト５９に支持されてアーム部材４８の回動で前後にスライドさせられるようになっている。
【００３３】
押出部材５３は両側部には支軸５５が形成され、上部には係合板６０が上方に突出して形成されている。
【００３４】
上フレーム５２は中央に上記係合板５９をガイドするガイド穴６１が形成され、底面には嵌合突部６２と底面にネジ孔６３を設けた支柱６４とが形成され、下フレーム５１の支持ブロック５７の上面に形成された嵌合凹部６５に嵌合突部６２を嵌合し、ネジ６６を下フレーム５１の下からネジ孔６３にねじ込むことにより、押出部材５３の支軸５４が軸受部５６で軸支された状態で押し出し装置４５が構成される。
【００３５】
なお、ガイド穴６１は上フレーム５２の前面に開口しているので、押出部材５３は前方に回動できるが後方にはガイド穴６１の後部に係合板６０が当って回動が阻止されるようになっている。このことは、押出し装置５０が前方に移動するときは係合板６０が起立した状態でケーキパーツ２に係合して前に押し出すことができ、押出し装置５０が後方に移動する（復帰移動）するときは、係合板６０はケーキパーツ２の底に当って前に倒れ、ケーキパーツ２の底面を擦りながら押出し装置がスムースに復帰できるようにしている。
【００３６】
一方、排出機構Ｂを駆動する駆動機構Ｃは、図６に示すように、操作ノブ３５と同軸上のクラウン歯車３６と、このクラウン歯車３６に噛み合う歯車３７と、この歯車３７と一体の駆動歯車３８と、スライド部材３９とで構成され、このスライド部材３９は台車移動装置８内を前後にスライド移動できるように配置され、左側の側縁には駆動歯車３８に噛み合うラックギヤ４０が形成され、後端には後方に突出して係合軸部４１が形成されている。
【００３７】
操作ノブ３５を時計方向に回すと、クラウン歯車３６、歯車３７、駆動歯車３８、ラックギヤ４０を介してスライド部材３９は後方にスライド移動し、スライド部材３９が後方にスライドすると係合軸部４１の先端は、台車移動装置８から後方に突出し、排出機構Ｂの扇歯車４５に形成された係合部４５ａに係合し、これを後方に押圧して扇歯車４５を回動させることができるようになっている。
【００３８】
なお、符号４２はスライド部材３９を前方に引き戻すためのスプリングを示し、操作ノブ３５から手を離すと、スライド部材３９はスプリング４２に付勢されて復帰移動し、扇歯車４５の係合部４５ａの押圧を解除するようになっている。
【００３９】
次に、上記構成の玩具パーツ積重ね玩具Ａの使用態様について説明する。
【００４０】
先ず、図２（ｂ）に示すように、玩具本体１の背面側に設けた裏蓋９を開けて収容部３内に、ケーキパーツ２を収容する。次に、トレイ２６を台車７に載せて、操作ノブ３５を摘んで台車７に付与されたマークｍ１が第１の収容部３ａの前のステージ６に付与されたマークｍ２に対応する位置まで台車７を移動する。この時点ではシャッター３３は押し上げ部材３２によって押し上げられて開口部１６ａは開放され、開口部１６ａからケーキパーツ２ａが排出可能な状態になる。
【００４１】
次に、図８（ａ）に示すように、操作ノブ３５を時計方向に回動すると、スライド部材３９が後方にスライドし、扇歯車４５を時計方向に回動させ、駆動歯車４６が反時計方向に回動して、アーム部材４８が手前に回動するので、係合軸４８ａが係合枠部５４に係合しているので押出し装置５０がシャフト５９にガイドされて前方にスライド移動する。押出し装置５０移動すると押し出し部材５３の係合板６０がケーキパーツ２を前方に押出すので、ケーキパーツ２は開口部１６ａからトレイ２６上に押出される。
【００４２】
操作ノブ３５から指を離すとスライド部材３９はスプリング４２の収縮力で復帰移動し、アーム部材４８もスプリング４９の収縮力で復帰回動して押出し装置５０は後方に復帰移動することになる。このとき収容部３内の上段のケーキパーツ２が直上に下りてきているので、係合板６０はケーキパーツ２が邪魔になるが、上フレーム５２のガイド穴６１は前面が開口しているので押出し部材５３は前方に回動して係合板６０の先端はケーキパーツ２の底面を擦りながら初期の位置に戻ることができる。
【００４３】
再び、操作ノブ３５を摘んで、図８（ｂ）に示すように、台車７のマークｍ１が第２の収容部３ｂの前のステージ６に付与されたマークｍ３に対応する位置まで台車７を移動させ、操作ノブ３５を回せば第２の収容部３ｂに配置された排出機構Ｂが作動し、ケーキパーツ２ｂをトレイ２６上のケーキパーツ２ａの上に排出する。同様に、台車７を第３の収容部３ｃの前に移動させ操作ノブ３５を回せば第３の収容部３ｃに配置された排出機構Ｂが作動し、ケーキパーツ２ｃをトレイ２６上のケーキパーツ２ｂの上に排出し、３段重ねの形象物Ｆであるケーキができあがる（図８（ｃ）参照）。
【００４４】
ケーキパーツ２を３段重ねにしてでき上がった形象物（以下、ケーキという）Ｆが載った状態で操作ノブ３５を摘んで台車７を右に少し移動させると、ステージ６の終端部に設けた凸軸１７に台車７の上に配置された載置板２７の係合板３１が係合し後方に押されるので、載置板２７は支持部３０を支点として上方に回動し、載置板２７上のトレイ２６はケーキＦを載せた状態でエレベータ１０側に滑り落ちて取り込み口１４からエレベータ１０の床材１２上に移動する（図９（ａ）参照）。ケーキＦが載ったトレイ２６が床材１２上に移動したことを窓１３で確認したら、レバー１１を押し下げると床材１２は下降して取り出し口１５の前に移送される（図９（ｂ）参照）。
【００４５】
取り出し口１５からケーキＦが載っているトレイ２６を引き出せば、ケーキが厨房で作成され作成されたケーキをお客様に提供することができるケーキのお店やさん遊びをすることができる。
【００４６】
なお、本発明では、玩具パーツをケーキパーツで構成し、ケーキパーツを積重ねることにより多段状ケーキができあがるようにしたが、玩具パーツを自動車の車台や、ボディで構成し、でき上がった形象物が自動車玩具になるようにし、玩具本体の装丁を自動車工場の組立てラインのように設定して、女児だけではなく男児も楽しむことができる玩具パーツ積重ね玩具を提供することもでき、組み立てる対象によって様々な玩具パーツ積重ね玩具を実現することが可能になる。
【符号の説明】
【００４７】
１    玩具本体
２    玩具パーツ（ケーキパーツ）
３    玩具パーツ収容部（収容部）
４    台車装置
７    台車
８    台車移動装置
１６    開口部
３２    シャッター開放手段（押し上げ部材）
３３    シャッター
Ａ    玩具パーツ積重ね玩具
Ｂ    排出機構
Ｃ    駆動機構
Ｆ    形象物
【図１】
2011019701.tif 000003
【図２】
2011019701.tif 000004
【図３】
2011019701.tif 000005
【図４】
2011019701.tif 000006
【図５】
2011019701.tif 000007
【図６】
2011019701.tif 000008
【図７】
2011019701.tif 000009
【図８】
2011019701.tif 000010
【図９】
2011019701.tif 000011